(57)【要約】      （修正有）【課題】生花の保管・輸送に使用される容器であって、この容器に貯溜された給水用の水を生花が吸収することにより、保管時や輸送時に生じ易い生花の乾燥や萎れを防止すると共に、転倒しても水が容器内に多量に残り容器外には漏れ難いようにし、使用した後に容器内に残る水の廃棄が容易な生花用容器を提供すること。【解決手段】容器本体フランジ部４ａと蓋体フランジ部４ｂを嵌合させて、水密状態を形成するようにした生花用容器１であって、蓋体に設けた生花保持部を蓋体フランジ部４ｂより上方側に配置し、この空間部分の高さと幅を特定の範囲として貯水容量を大きくし、生花保持部の生花を保持する水平部２０を蓋体フランジ部４ｂより上方側に設たことを特徴とする。【選択図】図２
2013063790.tif 000002
【特許請求の範囲】
【請求項１】
開口部に容器本体フランジ部が設けられた容器本体と、この容器本体フランジ部と嵌合して水密状態を形成する蓋体フランジ部が設けられた蓋体と、からなる生花用容器において、
前記容器本体は、上底に開口部が設けられ、この開口部と連接して容器本体の下底と略平行に容器本体フランジ部が設けられ、容器本体中央部を含む垂直断面は上底が下底より長くされた略台形状とされ、
前記蓋体は、前記容器本体フランジ部と嵌合する蓋体フランジ部と、この蓋体フランジ部に連接された生花保持部とから構成され、この生花保持部は、前記蓋体フランジ部と連接し蓋体の中心軸に向かって傾斜して上方へ延在する外側壁部と、この外側壁部と連接し蓋体フランジ部と略平行に蓋の中心軸方向へ延在する上面壁部と、この上面壁部と連接し蓋体の中心軸に向かって傾斜して下方へ延在する内側壁部と、この内側壁部下端と連接し前記蓋体フランジ部と略平行に蓋体の中心軸方向へ延在する水平部とから構成され、容器本体の高さをＨ１とし、生花保持部の高さをＨ２とし、生花保持部内側壁部の寸法をＨ３とし、生花保持部の上面壁部の幅をＷとするとき、Ｈ２がＨ１の０．５〜２．０、Ｈ３がＨ２の２／３〜４／５、かつ、ＷがＨ２の０．１〜０．４とされてなり、
前記水平部が前記蓋体フランジ部より上方に配置されたことを特徴とする、生花用容器。
【請求項２】
容器本体の下底の底壁面側が、容器本体高さ(Ｈ１)の１／３〜２／３の高さの筒状とした部分（筒状部）とされ、この筒状部の水平断面の最大径をｒ２とし、容器本体開口部の最大径をｒ１としたときｒ１＞ｒ２とされてなる、請求項１に記載の生花用容器。
【請求項３】
生花保持部の内側壁部の開口部に、容器本体の多角形の筒状部の最大径部を嵌合可能にされた凹壁部を設け、筒状部の水平断面の最大径をｒ２とし、生花保持部の内側壁部の対向する凹壁部の間隔をｒ３とするとき、ｒ３≧ｒ２とされてなる、請求項１または請求項２に記載の生花用容器。
【発明の詳細な説明】
【技術分野】
【０００１】
本発明は、生花用容器に関する。さらに詳しくは、生花の保管や輸送のために使用される容器であって、この容器に貯溜された給水用の水を生花が吸収することにより、保管時や輸送時に生じ易い生花の乾燥や萎れを防止すると共に、容器が転倒した際には、上記貯留水が容器内に残り容器外には漏れ難いようにし、使用した後に容器内に残る水の廃棄が容易な生花用容器に関する。
【背景技術】
【０００２】
従来、生花を保管や輸送する際に、多くは収容部の浅いダンボール箱を使用し、生花をこのダンボール箱の底壁に沿わせた状態で収納し、場合によっては水を噴霧して梱包し、輸送する方法がとられてきた。この方法では、下側に配置された生花が上側に配置された生花によって圧迫されて品質が劣化し易い。また、生花を保管や輸送する間は、生花には全く給水されないため、生花の保管中や目的地に輸送するまでの期間が長い場合は、生花の鮮度を維持するのは困難であった。
【０００３】
保管時や輸送時に生花の鮮度を維持する目的で使用される容器として、特許文献１ないし特許文献３に記載の容器が提案されている。これら特許文献で提案されている生花用容器によれば、容器に生花給水用の水を貯溜し、この貯溜水に生花の茎切断部を浸して起立状態で収容し、生花を収容した状態の生花用容器をさらにダンボール箱に収納して、保管や輸送をすることができる。この方法によると、生花を起立状態に維持し、生花用容器に貯留水が残っている間は、保管中や輸送中であっても生花に給水が可能となり、生花の鮮度を維持することができる。
【０００４】
しかし、特許文献１に記載されている生花用容器では、容器自体が嵩張り、容器の貯蔵、保管、輸送、使用などの際に取扱いが煩雑であった。また、容器本体に貯留された貯留水は、生花の茎切断面から吸収され、吸収された水が葉面や茎表面から蒸発することによって徐々に減るため、貯溜水が不足することがあった。特に高温時に生花による水の吸収が活発だったり、保管期間が長引いたり輸送に時間がかかったりした場合などに、貯留水不足が生じ易いという問題があった。さらに、生花を目的地に輸送した後、生花用容器からの水抜き作業が困難であった。
【０００５】
また、特許文献２および特許文献３に記載されている生花用容器は、生花を目的地に輸送した後の水抜き作業は改善されているが、起立状態で収容した生花の茎を保持する位置が、容器本体開口部の下側に配置された生花保持部の下側部分であり、生花を保持する位置は茎の切断部に近い位置である。このため、生花を起立状態で収容した容器をダンボール箱に収納して貯蔵、保管、輸送する場合、生花の上部側が揺れてダンボール箱の内側面と擦れて傷み、生花の商品価値を損い易いという問題があった。出願人はこのような問題を解決した生花用容器を開発し、先に特許出願した（特願２０１０−１０２２２３）。
【０００６】
出願人が提案した特願２０１０−１０２２２３に係る生花用容器では、生花を起立状態で収納したダンボール箱を転倒させた際に、蓋体生花保持部の内側下端部に連接させて設けた水平部内周の直線部が下側に位置しないと、蓋体生花保持部の貯留水量が漏れることがあるので、蓋体生花保持部の内側下端部に連接させて設けた水平部内周の直線部の位置を個々に目視確認し、同じ方向に揃える必要があった。その後、生花用容器に生花を収納する作業や、生花を収容した容器をダンボール箱に収納する際の作業性などを向上させる目的で、生花用容器をコンベアベルトに載置して連続的に移送しつつ、この容器に生花を起立状態で収容し、さらにダンボール箱に収納した後、紐懸けする梱包方法が採用されることがある。このような梱包方法では、途中で振動、傾斜、転倒することがあるので、生花を起立状態で収容した生花用容器は水平部内周の直線部を揃えても意味がなく、むしろあらゆる方向に傾斜、転倒させても貯留水が漏れない構造とするのが有利であることが分かった。
【先行技術文献】
【特許文献】
【０００７】
【特許文献１】特開２００２−１５４５８９号公報
【特許文献２】特許第３７５４６６４号公報
【特許文献３】特許第４２３１０３９号公報
【発明の概要】
【発明が解決しようとする課題】
【０００８】
本発明は上記問題を解消した容器を提供すべく鋭意検討した結果完成されたものであり、その目的は次の通りである。
１．生花を起立状態で収容した生花用容器を、ダンボール箱に収納して移送、梱包、輸送する際に、あらゆる方向に傾斜・転倒しても水漏れが少く、十分な量の水を貯溜できる生花用容器を提供すること。
２．使用前後に嵩張らず、使用後は貯留水を容易に廃棄できる生花用容器を提供すること。
３．生花を起立状態で収容した生花用容器をダンボール箱に収納して移送、梱包、輸送などの際に、生花の上部側部分とダンボール箱の内側面とが擦れ難く、生花の商品価値を損なうことの少ない生花用容器を提供すること。
【課題を解決するための手段】
【０００９】
本発明は、上記目的を達成するため、開口部に容器本体フランジ部が設けられた容器本体と、この容器本体フランジ部と嵌合して水密状態を形成する蓋体フランジ部が設けられた蓋体とからなる生花用容器において、
前記容器本体は、上底に開口部が設けられ、この開口部と連接して容器本体の下底と略平行に容器本体フランジ部が設けられ、容器本体中央部を含む垂直断面は上底が下底より長くされた略台形状とされ、
前記蓋体は、前記容器本体フランジ部と嵌合する蓋体フランジ部と、この蓋体フランジ部に連接された生花保持部とから構成され、
この生花保持部は、前記蓋体フランジ部と連接し蓋体の中心軸に向かって傾斜して上方へ延在する外側壁部と、この外側壁部と連接し蓋体フランジ部と略平行に蓋の中心軸方向へ延在する上面壁部と、この上面壁部と連接し蓋体の中心軸に向かって傾斜して下方へ延在する内側壁部と、この内側壁部下端と連接し前記蓋体フランジ部と略平行に蓋体の中心軸方向へ延在する水平部とから構成され、容器本体の高さをＨ１とし、生花保持部の高さをＨ２とし、生花保持部内側壁部の寸法をＨ３とし、生花保持部の上面壁部の幅をＷとするとき、Ｈ２がＨ１の０．５〜２．０、Ｈ３がＨ２の２／３〜４／５、かつ、ＷがＨ２の０．１〜０．４とされてなり、
前記水平部が前記蓋体フランジ部より上方に配置されたことを特徴とする、生花用容器を提供する。
【発明の効果】
【００１０】
本発明は、以下詳細に説明するとおりであり、次のように特別に顕著な効果を奏し、その産業上の利用価値は極めて大である。
１．本発明に係る生花用容器は、容器本体と蓋体の双方のフランジを嵌合させた際に水密状態を形成するようにされているので、生花用容器に生花を起立状態で収容してダンボール箱に収納し梱包する際に、生花用容器が振動し、どの方向に傾斜・転倒しても、生花保持部からの水漏れを少なくすることができる。
２．本発明に係る生花用容器は、容器本体と蓋体とに分割されているので、使用前や使用後に容器本体と蓋体をそれぞれ別々に積み重ねることができるので嵩張らないし、使用後は容器本体と蓋体の双方のフランジの嵌合を解く（開蓋する）ことによって、容易に水抜できる。
３．本発明に係る生花用容器は、蓋体の生花保持部が十分な高さにされ、外側壁部と内側壁部とを連接する上面壁部が十分に広くされ、かつ、この生花保持部が蓋体フランジ部より上方に配置され、蓋体の保水量が多いので、生花用容器への貯溜水量を大幅に増やすことができ、生花を容器内に起立させた状態で収容し、保管や輸送をする際に生花に十分給水でき、生花の鮮度を維持したまま保管や輸送が可能である。
４．本発明に係る生花用容器は、蓋体の生花保持部が十分な高さにされており、水平部も蓋体フランジ部より上方に配置され、生花は茎の切断部から離れた茎の比較的上側の位置で保持されるので、生花の上側部の揺れが抑制され、生花の上側部とダンボール箱の側面部との擦れ合いを少なくすることができ、生花の商品価値は損なわれ難い。
【図面の簡単な説明】
【００１１】
【図１】本発明に係る生花用容器に、生花を起立状態で収容した一例を示す斜視図である。
【図２】本発明に係る生花用容器の一例の中央部を含む垂直断面の正面略図である。
【図３】図２に示した生花用容器を構成する容器本体の一例の図であり、（ａ）は中央部を含む垂直断面の正面略図であり、（ｂ）は平面図である。
【図４】図２に示した生花用容器を構成する蓋体の一例の図であり、（ａ）は中央部を含む垂直断面の正面略図であり、（ｂ）は平面図である。
【図５】図４に示した蓋体のＡ−Ａ線で垂直断面の正面図である。
【図６】図１に示した生花用容器に生花を起立状態で収容して水を貯溜し、転倒させた状態の一例を示す断面略図である。
【図７】図１に示した生花用容器に生花を起立状態で収容し、ダンボール箱に収納した状態を示す斜視略図である。
【発明を実施するための形態】
【００１２】
以下、本発明に係る生花用容器を図面に基づいて詳細に説明する。図１は、本発明に係る生花用容器に、生花を起立状態で収容した一例を示す斜視図である。図２は、本発明に係る生花用容器の一例の中央部を含む垂直断面の端面図である。図３（ｂ）は、図２に示した生花用容器を構成する容器本体の平面図である。図４（ｂ）は、図２に示した生花用容器を構成する蓋体の一例の平面図である。生花用容器１は、生花Ｆへの給水用の水を貯溜する容器本体２と、生花Fの茎を保持する蓋体３とから構成される。容器本体２と蓋体３は、容器本体フランジ部４ａと蓋体フランジ部４ｂとを嵌合させることによって、水密構造を形成するようにされている。
【００１３】
図３および図４には、図２に示した本発明に係る生花用容器を構成する容器本体２と蓋体３の構造を詳細に示した図である。容器本体２は、容器本体２の下側に水を貯溜し生花を起立状態で茎の切断部を接触させて収容する下底（底壁側）５、容器本体２上側に上底（開口部を含む側）８と容器本体フランジ部４ａが、容器本体２の下底と容器本体上底８との間に筒状にされた部分（筒状部）６と側壁７が設けられている。容器本体２の中央部を含む垂直断面形状は、上底が下底より長くされた略台形状に形成される。このような台形とすることにより、容器本体２を、合成樹脂を原料として製造する際の型抜きが容易となるばかりでなく、空容器を複数個積み重ねた場合でも体積を小さくすることができ、かつ、蓋体３と組合せて使用する際、取り扱い易く便利である。
【００１４】
容器本体２の中央部を含む垂直断面形状は上記の通り略台形状とするが、上底８側と下底５側の平面視形状の組合せには制限がなく、相似した組合せ、相似しない組合せのいずれであってもよい。例えば、双方を円形、多角形の組合せとすることができるし、一方を円形とし他方を多角形とすることもできる。ただし容器本体２は、下底５と上底８の容器本体フランジ部４ａの外形の双方の平面視形状を円形とすると、転倒させた状態で転がることがあるので好ましくなく、少なくとも一方は円周の一部を切り欠いて直線部を設けるのがよい。直線部を設けると、容器本体２が転倒した際の転がりを止めることができる。
【００１５】
容器本体２の下底５に連接された側壁は段部のない面で構成することもできるが、図２に示したように、下底５側に容器本体高さをＨ１とするとき、筒状部６の高さはＨ１の１／３〜２／３とし、この筒状部６に連接させて側壁７を設け、筒状部６の径を側壁７のものより小さくするのが好ましい。筒状部６と側壁７の径をこのようにすると、起立状態で収容した生花の茎切断部が乱雑に広がるのを防ぎ、容器本体１に貯留する貯留水が少なくてもその水位を上げることができる。従って、容器に収容した茎切断面が揃っておらず総てが下底５に接触していなくとも、茎切断面の総てを少ない貯留水で浸すことができる。なお、筒状部６の水平断面の最大径をｒ２とし、容器本体２開口部の最大径をｒ１としたとき、ｒ１＞ｒ２を満たす関係にするのが好ましい。また、筒状部の平面視形状は、例えば四角形のような多角形とすると、生花用容器１を起立させたときに、平面視形状が円形のものに比較して据わりが安定するので好ましい。筒状部が四角形の場合、最大径ｒ２は四角形の対角線を意味する。
【００１６】
容器本体２の容量は、起立させた状態で収容する生花Ｆの種類や束の大きさなどによって変わり、０．２〜１０リットルの範囲で選ぶことができる。その際の容器本体２は、例えば、上記筒状部６の水平断面の最大径（ｒ２）は（下底側が平面視四角形の筒状部とされている場合は、筒状部付根部分の対角線を意味する）５〜３０ｃｍ、高さを５〜３０ｃｍ、容器本体フランジ部４ａの外平面部１０ａに開口した開口部の最大径（ｒ１)を１０〜５０ｃｍの範囲で選ぶことができる。容器本体２の壁面の厚さは、容器本体２の高さも含む大きさに応じて０．２〜１．０ｍｍの範囲で選ぶことができる。
【００１７】
容器本体フランジ部４ａは、側壁７と連接させて容器本体２の開口部９の外側に設けられる。容器本体フランジ部と嵌合して水密状態を形成する蓋体フランジ部は、図面に示したように、上底から下側に陥没させた状態で嵌合可能な構造とすることもできるし、上底から上側に突出させた状態で嵌合可能な構造とすることもできる。以下の例では、上底８、下底５、容器開口部９、筒状部６の水平切断面などの形状が四角形であり、容器本体フランジ部が上底８の面から下側に陥没させた状態で嵌合する構造の例を中心として説明する。ここで四角形とは、幾何学的に正確な四角形ではなく、四辺が膨らんでいたり、角隅部が切り欠かれたりした四角形を意味する。
【００１８】
容器本体フランジ部４ａは、側壁７の上端の開口部９に連接し下底５に対して略平行に外側に延在し上底８を構成する段部１０ａ、段部１０ａに連接し下底５に対して垂直より内側に傾斜して下側に延在する垂下部１１ａ、垂下部１１ａに連接し下底５に対して略平行に外側に延在する段部１２ａ、段部１２ａの外側に連接した凹環部１３ａ、その外側に下底５に対して略平行に外側に延在する外平面部１４ａと、から構成される。なお、上底が四角形で開口部が円形の場合は、外平面部１４ａにできる余白部に、容器本体２を持ち易くし、強度やデザイン性などを向上させるリブや穴を設けることができる。
【００１９】
容器本体フランジ部４ａを、段部１０ａ、垂下部１１ａ、段部１２ａ、凹環部１３ａおよび外平面部１４ａによって構成することによって、容器本体フランジ部４ａの強度を向上させることができる。また、外平面部１４ａと、これに対応して蓋体フランジ部４ｂに設けられる外平面部１４ｂとを指で摘んで上下に引き離すことによって、組合された容器本体２と蓋体３を容易に開蓋する（嵌合を解く）ことができる。外平面部１４ａの平面視形状が四角形であるときは、外平面部１４ａの四隅部に小さい凹凸を設けることによって、指で摘んで上下に引き離す操作が容易となる。
【００２０】
蓋体３は容器本体２と嵌合され、起立状態で容器本体２に収容された生花Ｆを、茎の比較的上側の位置で保持し、この状態の容器本体２が振動、傾斜、転倒した際などに水が漏れないようにする。図４に、本発明に係る生花用容器１を構成する蓋体３の一例を示した。図４（ｂ）は、蓋体３の平面図である。蓋体３は、蓋体フランジ部４ｂと、この蓋体フランジ部４ｂに連接させて設けた生花保持部１６とによって構成される。蓋体３の大きさは、容器本体２の大きさに応じて変えることができる。蓋体３と容器本体２とを嵌合可能とするため、容器本体フランジ部４ａと蓋体フランジ部４ｂの平面視形状は同形とされる。蓋体３の壁面の厚さは、蓋体３の大きさに応じて０．２〜１．０ｍｍの範囲で選ぶことができるが、容器本体２と同様に高さも含む大きさに応じて変えることができる。
【００２１】
蓋体フランジ部４ｂは、生花保持部１６の外周に連接し、外側に延在する段部１０ｂと、この段部１０ｂに連接し段部１０ｂに対して垂直より若干内側に傾斜して下側に延在する垂下部１１ｂ、垂下部１１ｂに連接した蓋体の下底１３に対して略平行に外側に延在する段部１２ｂ、段部１２ｂの外側に連接した凹環部１３ｂ、および、その外側に蓋体の下底１３に対して略平行に外側に延在する外平面部１４ｂと、から構成される。
【００２２】
上記構成の容器本体フランジ部４ａと蓋体フランジ部４ｂを嵌合すると、段部１０ａと段部１０ｂ、垂下部１１ａと垂下部１１ｂ、凹環部１３ａに凹環部１３ｂを強制的に嵌合させることによって、段部１２ａと段部１２ｂとを密着させ、かつ、外平面部１４ａと外平面部１４ｂとを密着させ水密構造が形成され、この部分から水が漏れるのを防ぐことができる。外平面部１４ａと外平面部１４ｂは、生花Ｆの束を起立状態で収容した生花用容器１を収納した状態のダンボール箱Ｂの内側面と接触し、生花用容器１と内側面との間に空間部分Ｃを形成し、生花Ｆがダンボール箱Ｂの内側面と接触し難くする。生花Ｆを収容しダンボール箱Ｂに収容された生花用容器１が、何らかの理由で傾斜・転倒し、外平面部１４ａと外平面部１４ｂが変形しても、容器本体フランジ部４ａと蓋体フランジ部４ｂとの嵌合状態が解け、開蓋することはない。
【００２３】
生花保持部１６は、起立させた状態で生花用容器１に収容した生花Ｆの葉の多い茎の中ほどを保持し、生花を保管・輸送する際の生花上部側の揺れを抑えるとともに、生花用容器１を傾斜・転倒させた際に貯留水の生花用容器外への漏れを少なくする。生花保持部１６は、段部１０ｂと連接し蓋体３の中心軸に向かって傾斜して上方へ延在する外側壁部１７と、外側壁部１７と連接し段部１０ｂと略平行に蓋体３の中心軸に向かって延在する上面壁部１９と、上面壁部１９と連接し蓋体３の中心軸に向かって傾斜しながら下方へ延在する内側壁部１８と、内側壁部１８の下端と連接し段部１０ｂと略平行に蓋体３の中心軸に向かって延在する水平部２０と、から構成される。
【００２４】
生花保持部１６の水平部２０は、蓋体フランジ部４ｂより上方の位置に配置され、水平部２０の内側は生花Ｆを挿すことができる開口部２４とする。水平部２０は、この内側に収容された生花Ｆの茎を保持する。水平部２０はさらに、生花Ｆを収容し、ダンボール箱Ｂに収納された生花用容器１が振動、傾斜・転倒したときに、外側壁部１７、内側壁部１８および上面壁部１９とで内側空間部分を形成し、容器本体１に貯留された貯溜水を保持し、貯留水が生花用容器外に漏れるのを防ぐように機能する。
【００２５】
外側壁部１７および内側壁部１８が蓋体３の中心軸に向かって傾斜させていることによって、複数の蓋体３を嵩張ることなく重ねることができ、重ねたときの体積を減らすことがでる。また、蓋体使用時には複数個積み重ねた状態のものから、上から一個ずつ抜き取る操作も容易になり、保管や輸送するのに便利である。さらに、上底が四角形で開口部が円形の場合は、外側壁部１７および内側壁部１８には、強度やデザイン性を向上させるためのリブを設けることができる。
【００２６】
生花保持部１６は、容器本体２の高さをＨ１とし、生花保持部１６の高さをＨ２とし、生花保持部内側壁部１８の寸法をＨ３とし、生花保持部の上面壁部の幅をＷとするとき、Ｈ２をＨ１の０．５〜２．０とし、Ｈ３をＨ２の２／３〜４／５とし、かつ、ＷをＨ２の０．１〜０．４とする。Ｈ２をＨ１の０．５〜２．０、Ｈ３をＨ２の２／３〜４／５、ＷをＨ２の０．１〜０．４とすると、生花保持部の外側壁部１７と内側壁部１８とが容器本体と蓋体の嵌合したフランジ部の位置から十分に高く、かつ、上面壁部の幅Ｗが十分に広くされ、これら三つの壁によって構成される生花保持部１６は、十分に高くされ、空間容量も大きくされている。上面壁部１９の幅Ｗを広くすると、ダンボール箱Ｂに収容した時にダンボール箱内側部と上面壁部１９とで形成される空間も広くなり、起立状態で収容した生花の束がダンボール箱Ｂ内側と接触し難くすることができる。従って、生花用容器１を収納した状態のダンボール箱Ｂを梱包する際または梱包した後に振動し、どの方向に傾斜・転倒しても、生花がダンボール箱内側に接触して品質が劣化するのを防ぐことができる。
【００２７】
また、生花保持部１６は、容器本体２に生花Ｆが収容された時、葉の比較的多い茎の中ほどを保持するように機能する。生花用容器１は、水平部２０が蓋体フランジ部４ｂより上方に配置されていることにより、特許文献１ないし特許文献３に記載の生花用容器の場合に比べて、生花Ｆを茎切断部から比較的高い位置で保持することができる。生花Ｆを茎切断部の高い位置で保持することにより、生花Ｆの上部側の揺れは格段に抑えられて、生花Ｆの上部側が揺れてダンボール箱Ｂの内側面と擦れ、生花Ｆが傷むのを防ぐことができる。水平部２０は、生花用容器１に収容された生花の茎と、水平部２０との接触部を傷めないように薄くするのが好ましい。
【００２８】
生花保持部１６の内側壁部の開口部に、容器本体２の多角形の筒状体の最大径部を嵌合可能にされた凹壁部２１を設け、対向する凹壁部２１の最上部の間隔をｒ３とするとき、ｒ３≧ｒ２とするのが好ましい。ｒ３とｒ２を上のような関係にすると、凹壁部２１に筒状部の最大径部（上で定義した意味に同じ）を嵌合させ、積み重ねることができる。生花用容器１に生花Ｆを収容する作業では、容器本体２に蓋体３を嵌合させる前または嵌合させた後に、容器本体２に貯留水を入れた状態でベルトコンベア横に複数個積み重ねて配置し、移動するベルトコンベアに個別に載置して生花を収納することがある。生花保持部１６の内側壁部の開口部２４に設けた凹壁部２１に、容器本体２の下底５の筒状部の最大径部、筒状部６の平面視形状が四角形の場合は四隅部を嵌合させると、貯留水を入れた生花用容器１を複数個、安定的に積み重ねることができる。
【００２９】
本発明に係る生花用容器１を使用する際には、容器本体フランジ部４ａと蓋体フランジ部４ｂを嵌合させて容器本体２と蓋体３で水密構造を形成し、貯留用の水は開口部２４または開口部９から、生花Ｆを容器本体２に収容する前に給水し、開口部２４から生花Ｆを起立状態で収容するのが好ましいが、生花Ｆを容器本体２に収容した後に給水することもできる。水には、少量の生花Ｆの栄養剤を含ませることもできる。
【００３０】
次に、容器本体２の容量と生花保持部１６の空間部容量との関係について説明する。容器本体は平面視四角形を呈し、高さ(Ｈ１)が８０ｍｍ、開口部径が１９０ｍｍであり、その下側の筒状体は高さ４０ｍｍ高さ、最大径(ｒ２)１４５ｍｍにされている。生花保持部１６は、高さ(Ｈ２)が８０ｍｍ、上面壁部１９の幅（Ｗ）が２０ｍｍ、内側壁部１８の寸法（Ｈ３）が５５ｍｍ、内側壁部１８の先端と外側壁部１７の対応部分との間隔が３２ｍｍとされている。容器本体２の貯水容量は約１３２０ｃｃ、このうち筒状体の容量は約４５０ｃｃであり、生花保持部１６の外側壁部１７、内側壁部１８および上面壁部１９とで囲まれ多空間部分の容量は約１０００ｃｃである。容器本体２と蓋体３とを嵌合させて水を注入し、９０度回転させ横転させた状態での貯水容量は約４９０ｃｃである。よって、上の大きさの生花用容器１に生花Ｆを起立状態で収容した後に注水できる水量は、４９０ｃｃ以下とするのが好ましい。仮に貯留水量を４６０ｃｃとすると、筒状部６の容量(４５０ｃｃ)を超えるが、容器本体２の貯水容量に充分余裕があり、筒状部６に生花Ｆの茎切断部を収容して貯留水面が上昇しても水漏れすることはなく、生花用容器１がどの方向に傾斜・転倒しても、生花保持部１６からの水漏れを少なくできる。なお、図６では一束の生花を、総ての茎切断部を下底５に接触させて生花用容器１に収納した例を示したが、本発明はこの例に限定されるものではない。一束が数本からなる生花束の場合は、葉同士や花同士が干渉し合うので、茎の切断面が揃え難い場合や意図的に揃えない場合があり、また、同時に複数束を収容する場合もまた、各束の葉同士や花同士が干渉し合うので、茎の切断面が揃え難い場合や意図的に揃えない場合がある。貯留水の水位は、場合に応じて容易に筒状部６の下底５から十分に高くすることができ、総ての茎切断面を水に浸すことができる。
【００３１】
上記の様にして、水を貯溜し生花Ｆを起立状態で収容した生花用容器１は、コンベアベルトに載置して連続的に移送しつつ、ダンボール箱Ｂに収納し、紐やテープなどで結束することができる。図７は、図１に示した生花用容器１に生花Ｆを収容した状態でダンボール箱Ｂに収容した状態を示す斜視略図である。ダンボール箱Ｂが大きい場合は1個で、小さい場合は２個〜３個ずつ紐やテープなどで結束して１個とし、結束した荷物１個あたりの底面積を広くして倒れ難くし、輸送効率と安定性を高めることもできる。上記結束作業の際、段ボール箱Ｂを転倒させても、容器本体２と蓋体３で水密構造を形成しており、貯留水は十分大きな生花保持部１６の空間部分容量に貯水されるので水は漏れ難く、効率的に作業ができる。
【００３２】
本発明に係る生花用容器１において、容器本体２および蓋体３は、いずれもプラスチックにより形成されるのが好ましい。プラスチックには、ポリエチレンテレフタレート、ポリブチレンテレフタレートなどのポリエステル類、ポリエチレン、ポリプロピレンなどのポリオレフィン類、ポリスチレン、ＡＢＳ樹脂などのスチレン系樹脂、ポリ塩化ビニル、アクリル系樹脂、ポリカーボネートなどが含まれる。また、容器本体２および蓋体３はいずれもシート状のプラスチックを差圧成形する方法、またはペレットを射出成形する方法などにより製造することができる。中でもシート状のものを、差圧成形法によって目的の形状にする製造法が好適である。
【符号の説明】
【００３３】
１：生花用容器、２：容器本体、３：蓋体、４ａ：容器本体フランジ部、４ｂ：蓋体フランジ部、５：下底、６：筒状部、７：側壁、８：上底、９，２４：開口部、１０ａ，１０ｂ：段部、１１ａ，１１ｂ：垂下部、１２ａ，１２ｂ：段部、１３：蓋体の下底、１３ａ，１３ｂ：凹環部、１４ａ，１４ｂ：外平面部、１６：生花保持部、１７：外側壁部、１８：内側壁部、１９：上面壁部、２０：水平部、２１：凹壁部、２２：貯留水、２３：水面、Ｆ：生花、Ｂ：ダンボール箱、Ｃ：空間部分、Ｈ１：容器本体の高さ、Ｈ２：生花保持部の高さ、Ｈ３：生花保持部内側壁部の寸法、Ｗ：生花保持部の上面壁部の幅、ｒ１：容器開口部の最大径、ｒ２：筒状部の水平断面の最大径、ｒ３：対向する凹壁部２１の最上部の間隔
【図１】
2013063790.tif 000003
【図２】
2013063790.tif 000004
【図３】
2013063790.tif 000005
【図４】
2013063790.tif 000006
【図５】
2013063790.tif 000007
【図６】
2013063790.tif 000008
【図７】
2013063790.tif 000009